(57)【要約】    【課題】開放状態にある前記扱室カバーを閉塞位置へ向けて回動させる際に、前記扱室カバーに設けられた係合凹部が前記脱穀機枠側の固定部材に設けられた係合凸部に確実に係合することを可能とする脱穀ハウジングを提供する。    【解決手段】脱穀機枠４１の上方開口が開放されている状態から扱室カバー４００を枢支軸４０１回り下方側（矢符Ｂ１側）へ回動させる際に、扱室カバー４００が閉塞位置へ至るまでの閉塞移行中においては、ロックアーム４０４のガイド面４０４ａが脱穀機枠４１側の係合凸部４１１ａと係合することでロックアーム４０４が付勢部材４０５の付勢力に抗して回動軸線回り他方側（矢符Ａ２側）へ回動されつつ、扱室カバー４００が閉塞位置に到達すると、係合凹部４０４ｂが係合凸部４１１ａと係合することで扱室カバー４００が閉塞位置に係止される。【選択図】  図７
2008099591.tif 000002
【特許請求の範囲】
【請求項１】
上方が開口とされた脱穀機枠と、前記上方開口を閉塞および開放し得るように前記脱穀機枠に枢支軸回り回動可能に連結された扱室カバーとを備えた脱穀ハウジングであって、
前記扱室カバーには、前記枢支軸と略平行な状態で軸線回り回転自在に支持された回動軸と、前記回動軸に対して回動軸線回り相対回転不能とされた外部操作可能な開閉操作部材と、前記回動軸に相対回転自在に支持されたロックアームと、前記ロックアームを前記回動軸線回り一方側へ付勢する付勢部材と、前記ロックアームの前記一方側への回動端を画するロックアーム用停止部材と、前記開閉操作部材が前記回動軸線回り他方側へ押動操作される際に前記付勢部材の付勢力に抗して前記ロックアームを前記回動軸線回り他方側へ回動させるように前記回動軸に軸線回り相対回転不能に支持された押動部材とが設けられており、
前記ロックアームは、前記回動軸線回り一方側を向く面に、ガイド面と、前記回動軸線を基準にして前記ガイド面の径方向内方側に隣接された係合凹部とを有し、
前記脱穀機枠側の固定部材には、前記ガイド面および前記係合凹部と係合可能な係合凸部が設けられており、
前記脱穀機枠の上方開口が開放されている状態から前記扱室カバーを前記枢支軸回り下方側へ回動させる際に、前記扱室カバーが閉塞位置へ至るまでの閉塞移行中においては、前記ガイド面が前記係合凸部と係合することで前記ロックアームが前記付勢部材の付勢力に抗して前記回動軸線回り他方側へ回動されつつ、前記扱室カバーが閉塞位置に到達すると、前記係合凹部が前記係合凸部と係合することで前記扱室カバーが閉塞位置に係止されることを特徴とする脱穀ハウジング。
【請求項２】
前記扱室カバーには、さらに、前記開閉操作部材を用いて前記扱室カバーを開放方向へ押動する際に前記開閉操作部材の前記回動軸線回り他方側の回動端を画する開放操作時停止部材と、前記開閉操作部材を用いて前記扱室カバーを閉塞方向へ押動する際に前記開閉操作部材の前記回動軸線回り一方側の回動端を画する第１閉塞操作時停止部材とが設けられ、
前記開放操作時停止部材は、前記開閉操作部材を用いて閉塞位置に位置する前記扱室カバーを前記枢支軸回りに回動させる際に、前記係合凹部および前記係合凸部の係合が解除するまで前記押動部材を介して前記ロックアームを前記回動軸線回り他方側へ回動させることが可能なように、前記開閉操作部材が前記回動軸線回り他方側へ回動することを許容する位置に設けられ、
前記第１閉塞操作時停止部材は、前記開閉操作部材を用いて閉塞位置へ向けて前記扱室カバーを前記枢支軸回りに回動させる際に、前記付勢部材の付勢力によって前記ロックアームが前記ロックアーム用停止部材と係合することを許容する位置まで、前記押動部材が前記回動軸線回り一方側へ退避するように、前記開閉操作部材が前記回動軸線回り一方側へ回動することを許容する位置に設けられていることを特徴とする請求項１に記載の脱穀ハウジング。
【請求項３】
前記扱室カバーには、前記回動軸を軸線回り回転自在に支持する支持アームが固着されており、
前記支持アームは、前記回動軸と直交する方向に延びる軸受プレート部であって、前記回動軸が挿通される軸受孔が形成された軸受プレート部と、前記軸受プレート部から前記回動軸と平行する方向に延びる第１延在片および第２延在片とを有しており、
前記第１延在片が前記ロックアーム用停止部材として作用し、
前記第２延在片が前記開放操作時用停止部材として作用していることを特徴とする請求項２に記載の脱穀ハウジング。
【請求項４】
前記第２延在片は前記第１閉塞操作時用停止部材としても作用していることを特徴とする請求項３に記載の脱穀ハウジング。
【請求項５】
前記扱室カバーには、前記開閉操作部材を用いて前記扱室カバーを閉塞方向へ押動する際に前記開閉操作部材と係合して該開閉操作部材の前記回動軸線回り一方側の回動端を画する第２閉塞操作時停止部材が設けられていることを特徴とする請求項２から４の何れかに記載の脱穀ハウジング。
【請求項６】
前記ガイド面は、自由端側へ行くに従って前記回動軸線回り他方側に位置するように傾斜または湾曲されていることを特徴とする請求項１から５の何れかに記載の脱穀ハウジング。
【請求項７】
前記扱室カバーを開放方向へ付勢する付勢部材がさらに備えられていることを特徴とする請求項１から６の何れかに記載の脱穀ハウジング。
【請求項８】
前記回動軸は、前端部および後端部がそれぞれ前記脱穀機枠の前端面および後端面より外方へ延在するように、前記扱室カバーに支持されており、
前記ロックアーム、前記付勢部材、前記ロックアーム用停止部材および前記押動部材は、前記回動軸の前端部および後端部の双方に設けられており、
前記係合凸部は、前記脱穀機枠の前端面側および後端面側にそれぞれ設けられていることを特徴とする請求項１から７の何れかに記載の脱穀ハウジング。
【発明の詳細な説明】
【技術分野】
【０００１】
本発明は、上方が開口とされた脱穀機枠と、前記上方開口を閉塞および開放し得るように前記脱穀機枠に枢支軸回り回動可能に連結された扱室カバーとを備えた脱穀ハウジングに関する。
【背景技術】
【０００２】
脱穀機枠の上方開口を閉塞および開放し得るように扱室カバーが枢支軸回り回動可能に連結されてなる脱穀ハウジングは、コンバイン等において利用されている。
【０００３】
例えば、下記特許文献１には、上方が開口とされた脱穀機枠と、前記上方開口を閉塞および開放し得るように前記脱穀機枠に枢支軸回り回動可能に連結された扱室カバーとを備えた脱穀ハウジングにおいて、前記扱室カバーに、前記枢支軸と平行な回動軸と、前記回動軸に相対回転不能に連結された操作レバーと、前記回動軸に相対回転不能に連結された係合フックとを設け、前記脱穀機枠に、前記係合フックに対応した係合ピンを設けた構成が開示されている。
【０００４】
詳しくは、前記従来構成においては、前記操作レバーを前記回動軸の軸線（以下、回動軸線という）回り下方へ操作すると、該操作レバーに連動して前記係合フックが前記係合ピンと係合して前記扱室カバーが閉塞位置に係止される。そして、前記操作レバーを前記回動軸線回り上方へ操作すると、該操作レバーに連動して前記係合フックが前記係合ピンから脱離して前記扱室カバーを開放させることが可能となっている。
【０００５】
しかしながら、前記従来構成においては、前記操作レバーおよび前記係合フックが前記回動軸線回りに常時連動する為、開放状態にある前記扱室カバーを閉塞位置へ向けて閉塞操作する際、前記扱室カバーが閉塞位置に位置する前に、前記係合フックが前記回動軸線回りに関し前記係合ピンと係合する位置まで回動してしまい、これにより、前記係合フックおよび前記係合ピンが干渉したり、前記係合ピンが係合フックの背面側（すなわち、前記係合フックの係合凹部とは反対側の表面側）に位置するという事態が生じ易かった。
【０００６】
詳しく説明すると、前記操作レバーおよび前記係合フックは、常時、前記回動軸線回りに一体的に回転する。つまり、前記係合フックは、前記操作レバーの前記回動軸線回りの回動に応じて、該回動軸線回りに係合位置または解除位置に位置する。
したがって、開放状態にある前記扱室カバーに対して前記操作レバーを下方へ押動させて、前記扱室カバーを前記枢支軸回り下方へ回動させる際に、前記扱室カバーは未だ閉塞位置に位置していないにもかかわらず、前記係合フックが前記操作レバーの前記回動軸線回りの回動に連動して前記回動軸線回りに前記係合位置に位置することが起こり得る。
このような事態が生じると、前記係合フックおよび前記係合ピンが干渉したり、前記係合ピンが係合フックの背面側に位置することになる。
【特許文献１】特開平５−８４０１５公報
【発明の開示】
【発明が解決しようとする課題】
【０００７】
本発明は、前記従来技術に鑑みなされたものであり、上方が開口とされた脱穀機枠と、前記上方開口を閉塞および開放し得るように前記脱穀機枠に枢支軸回り回動可能に連結された扱室カバーとを備えた脱穀ハウジングであって、開放状態にある前記扱室カバーを閉塞位置へ向けて回動させる際に、前記扱室カバーに設けられた係合凹部が前記脱穀機枠側の固定部材に設けられた係合凸部に確実に係合することを可能とする脱穀ハウジングの提供を、一の目的とする。
【課題を解決するための手段】
【０００８】
本発明に係る脱穀ハウジングは、上方が開口とされた脱穀機枠と、前記上方開口を閉塞および開放し得るように前記脱穀機枠に枢支軸回り回動可能に連結された扱室カバーとを備えた脱穀ハウジングであって、前記扱室カバーには、前記枢支軸と略平行な状態で軸線回り回転自在に支持された回動軸と、前記回動軸に対して回動軸線回り相対回転不能とされた外部操作可能な開閉操作部材と、前記回動軸に相対回転自在に支持されたロックアームと、前記ロックアームを前記回動軸線回り一方側へ付勢する付勢部材と、前記ロックアームの前記一方側への回動端を画するロックアーム用停止部材と、前記開閉操作部材が前記回動軸線回り他方側へ押動操作される際に前記付勢部材の付勢力に抗して前記ロックアームを前記回動軸線回り他方側へ回動させるように前記回動軸に軸線回り相対回転不能に支持された押動部材とが設けられており、前記ロックアームは、前記回動軸線回り一方側を向く面に、ガイド面と、前記回動軸線を基準にして前記ガイド面の径方向内方側に隣接された係合凹部とを有し、前記脱穀機枠側の固定部材には、前記ガイド面および前記係合凹部と係合可能な係合凸部が設けられており、前記脱穀機枠の上方開口が開放されている状態から前記扱室カバーを前記枢支軸回り下方側へ回動させる際に、前記扱室カバーが閉塞位置へ至るまでの閉塞移行中においては、前記ガイド面が前記係合凸部と係合することで前記ロックアームが前記付勢部材の付勢力に抗して前記回動軸線回り他方側へ回動されつつ、前記扱室カバーが閉塞位置に到達すると、前記係合凹部が前記係合凸部と係合することで前記扱室カバーが閉塞位置に係止されることを特徴とするものである。
【０００９】
上記構成の脱穀ハウジングによれば、上方が開口された脱穀機枠に扱室カバーが連結され、脱穀機枠に対して枢支軸回りに回動することにより脱穀機枠の上方開口が閉塞および開放される。この際、扱室カバーの外部操作可能な開閉操作部材を用いて閉塞および開放動作が行われる。開閉操作部材は、扱室カバーに枢支軸と略平行な状態で軸線回り回転自在に支持された回動軸に対して回動軸線回り相対回転不能に固定されている。
また、回動軸には、相対回転自在に支持されたロックアームが設けられ、付勢部材により回動軸線回り一方側に付勢されている。一方、ロックアーム用停止部材により、付勢されたロックアームの前記一方側への回動端が画される。そして、開閉操作部材が回動軸線回り他方側（扱室カバーを開放する方向）へ押動操作されると、押動部材により、ロックアームが付勢部材の付勢力に抗して回動軸線回り他方側に回動される。
さらに、脱穀機枠の上方開口が開放されている状態から前記扱室カバーを前記枢支軸回り下方側へ回動させると、前記扱室カバーが閉塞位置へ至るまでの閉塞移行中においては、ロックアームの回動軸線回り一方側を向く面に設けられたガイド面と脱穀機枠側の固定部材に設けられた係合凸部とが係合することでロックアームが前記付勢部材の付勢力に抗して前記回動軸線回り他方側へ回動される。ここで、ロックアームには、前記回動軸線を基準にしてガイド面の径方向内方側に隣接して係合凹部が設けられており、扱室カバーが閉塞位置に到達すると、ロックアームの係合凹部が付勢部材の付勢力によって脱穀機枠側の固定部材の係合凸部と係合して、前記扱室カバーが閉塞位置に係止される。
【００１０】
以上のように、ロックアームを開閉操作部材が固定された回動軸に相対回転自在に支持し、かつ、付勢部材によってロックアームを回動軸の軸線回り一方側へ付勢した上で、ロックアーム用停止部材によりロックアームの前記一方側への回動端が画されることにより、脱穀機枠側の係合凸部がロックアームの背面側に位置することを防止することができる。
しかも、扱室カバーが閉塞位置へ至るまでの閉塞移行中において、ロックアームのガイド面と脱穀機枠側の係合凸部とが係合されることにより、ロックアームが付勢部材の付勢力に抗して前記回動軸線回り他方側へ回動されるため、ロックアームおよび係合凸部が干渉することを防止することができる。
また、ロックアームを回動軸線回り一方側に付勢するとともに、ロックアームのガイド面に隣接して係合凹部が設けられることにより、扱室カバーが閉塞位置に到達した際、脱穀機枠側の係合凸部とロックアームの係合凹部とをロックアームに付与された付勢力を用いて確実に係合することができる。
【００１１】
好ましくは、前記扱室カバーには、さらに、前記開閉操作部材を用いて前記扱室カバーを開放方向へ押動する際に前記開閉操作部材の前記回動軸線回り他方側の回動端を画する開放操作時停止部材と、前記開閉操作部材を用いて前記扱室カバーを閉塞方向へ押動する際に前記開閉操作部材の前記回動軸線回り一方側の回動端を画する第１閉塞操作時停止部材とが設けられ、前記開放操作時停止部材は、前記開閉操作部材を用いて閉塞位置に位置する前記扱室カバーを前記枢支軸回りに回動させる際に、前記係合凹部および前記係合凸部の係合が解除するまで前記押動部材を介して前記ロックアームを前記回動軸線回り他方側へ回動させることが可能なように、前記開閉操作部材が前記回動軸線回り他方側へ回動することを許容する位置に設けられ、前記第１閉塞操作時停止部材は、前記開閉操作部材を用いて閉塞位置へ向けて前記扱室カバーを前記枢支軸回りに回動させる際に、前記付勢部材の付勢力によって前記ロックアームが前記ロックアーム用停止部材と係合することを許容する位置まで、前記押動部材が前記回動軸線回り一方側へ退避するように、前記開閉操作部材が前記回動軸線回り一方側へ回動することを許容する位置に設けられているように構成される。
【００１２】
この場合、扱室カバーに設けられた開放操作時停止部材により、開閉操作部材の回動軸線回り他方側への回動端が画されるため、開閉操作部材の回動軸線回り他方側への回動の力が扱室カバーを開放方向へ押動する力に変換される。
このとき、開閉操作部材を用いて閉塞位置に位置する扱室カバーを枢支軸回りに回動させる際に、係合凹部および係合凸部の係合が解除するまで押動部材を介してロックアームを回動軸線回り他方側へ回動させることが可能なように、前記開閉操作部材の回動軸線回り他方側への回動が許容される。
一方、扱室カバーに設けられた第１閉塞操作時停止部材により、開閉操作部材の回動軸線回り一方側への回動端が画されるため、開閉操作部材の回動軸線回り一方側への回動の力が扱室カバーを閉塞方向へ押動する力に変換される。このとき、開閉操作部材を用いて閉塞位置へ向けて扱室カバーを枢支軸回りに回動させる際に、付勢部材の付勢力によってロックアームがロックアーム用停止部材と係合することを許容する位置まで、押動部材が回動軸線回り一方側へ退避するように、開閉操作部材の回動軸線回り一方側への回動が許容される。
このように、開放操作時停止部材および第１閉塞操作時停止部材の位置を最適化することにより、脱穀機枠側の係合凸部とロックアームのガイド面との係合を確実に行うとともに、脱穀機枠側の係合凸部とロックアームの係合凹部との係合および係合解除を確実に行うことができる。
【００１３】
さらに好ましくは、前記扱室カバーには、前記回動軸を軸線回り回転自在に支持する支持アームが固着されており、前記支持アームは、前記回動軸と直交する方向に延びる軸受プレート部であって、前記回動軸が挿通される軸受孔が形成された軸受プレート部と、前記軸受プレート部から前記回動軸と平行する方向に延びる第１延在片および第２延在片とを有しており、前記第１延在片が前記ロックアーム用停止部材として作用し、前記第２延在片が前記開放操作時用停止部材として作用しているように構成される。
【００１４】
この場合、回動軸は、支持アームに設けられた軸受プレート部の軸受穴に挿通されて、軸受プレート部と直交する向きに、軸線回り回転自在に支持される。この軸受プレート部には、回動軸と平行する方向に第１延在片および第２延在片が軸受プレート部から延出して設けられており、第１延在片がロックアーム用停止部材として作用し、第２延在片が開放操作時用停止部材として作用する。
このように、ロックアーム用停止部材および開放操作時用停止部材を軸受プレート部を延在させることにより形成するため、部品点数の増加を防止し、製造工程の簡略化を図ることができる。
【００１５】
さらに好ましくは、前記第２延在片は、前記第１閉塞操作時用停止部材としても作用しているように構成される。
【００１６】
この場合、第２延在片が開放操作時用停止部材と第１閉塞操作時用停止部材とのいずれとしても作用する。これにより、部品点数の増加をさらに防止し、製造工程の簡略化を図ることができる。
【００１７】
好ましくは、前記扱室カバーには、前記開閉操作部材を用いて前記扱室カバーを閉塞方向へ押動する際に前記開閉操作部材と係合して該開閉操作部材の前記回動軸線回り一方側の回動端を画する第２閉塞操作時停止部材が設けられているように構成される。
【００１８】
この場合、開閉操作部材を用いて扱室カバーを閉塞方向へ押動する際に、扱室カバーに設けられた第２閉塞操作時停止部材と開閉操作部材とが係合して開閉操作部材の回動軸線回り一方側の回動端となり、開閉操作部材の回動軸線回り一方側への回動の力が扱室カバーを閉塞方向へ押動する力に変換される。
したがって、第１閉塞操作時停止部材とともに第２閉塞操作時停止部材を設けることにより、例え第１閉塞操作時停止部材による開閉操作部材の回動軸線回り一方側の回動端としての作用が十分でない場合でも、確実に開閉操作部材の回動軸線回り一方側への回動の力を扱室カバーを閉塞方向へ押動する力に変換させることができる。
【００１９】
好ましくは、前記ガイド面は、自由端側へ行くに従って前記回動軸線回り他方側に位置するように傾斜または湾曲されているように構成される。
【００２０】
この場合、ロックアームのガイド面がロックアームの自由端側に行くに従って回動軸回り他方側に位置するように傾斜または湾曲されている。
したがって、ガイド面が脱穀機枠側の係合凸部に係合した際、扱室カバーが閉塞方向へ回動される際、係合凸部を確実にガイド面上に係合させることができ、これにより扱室カバーを閉塞位置に位置させる際に、係合凸部がロックアームの背面側（係合凹部が形成された側とは反対側）に位置するという不都合を防止することができる。
【００２１】
好ましくは、前記扱室カバーを開放方向へ付勢する付勢部材がさらに備えられているように構成される。
【００２２】
この場合、付勢部材により扱室カバーが開放方向に付勢される。これにより、閉塞位置に位置する扱室カバーを開放させる際に、係合凸部とロックアームの係合凹部とを解除させるだけで、扱室カバーを自動的に開放位置に位置させることができる。
【００２３】
好ましくは、前記回動軸は、前端部および後端部がそれぞれ前記脱穀機枠の前端面および後端面より外方へ延在するように、前記扱室カバーに支持されており、前記ロックアーム、前記付勢部材、前記ロックアーム用停止部材および前記押動部材は、前記回動軸の前端部および後端部の双方に設けられており、前記係合凸部は、前記脱穀機枠の前端面側および後端面側にそれぞれ設けられているように構成される。
【００２４】
この場合、回動軸の前端部および後端部は、それぞれ脱穀機枠の前端面および後端面より外方に延在した状態で扱室カバーに支持される。そして、ロックアーム、付勢部材、ロックアーム用停止部材および押動部材は、回動軸の前端部および後端部の双方に設けられる。一方、係合凸部は、脱穀機枠の前端面側および後端面側のそれぞれに設けられる。
したがって、脱穀機枠の前端面側および後端面側の双方においてロックアームによる扱室カバーとの係合がなされるため、扱室カバーを閉塞した際に、係合を強固にすることができるとともに、回動軸が共通するため、１つの開閉操作部材を押動することにより双方のロックアームの係合および係合解除動作を同時に行うことができる。
【発明の効果】
【００２５】
本発明に係る脱穀ハウジングによれば、ロックアームを開閉操作部材が固定された回動軸に相対回転自在に支持し、かつ、付勢部材によってロックアームを回動軸の軸線回り一方側へ付勢した上で、ロックアーム用停止部材によりロックアームの前記一方側への回動端が画されることにより、脱穀機枠側の係合凸部がロックアームの背面側に位置することを防止することができる。
しかも、扱室カバーが閉塞位置へ至るまでの閉塞移行中において、ロックアームのガイド面と脱穀機枠側の係合凸部とが係合されることにより、ロックアームが付勢部材の付勢力に抗して前記回動軸線回り他方側へ回動されるため、ロックアームおよび係合凸部が干渉することを防止することができる。
また、ロックアームを回動軸線回り一方側に付勢するとともに、ロックアームのガイド面に隣接して係合凹部が設けられることにより、扱室カバーが閉塞位置に到達した際、脱穀機枠側の係合凸部とロックアームの係合凹部とをロックアームに付与された付勢力を用いて確実に係合することができる。
【発明を実施するための最良の形態】
【００２６】
以下、本発明の好ましい実施の形態につき、添付図面を参照しつつ説明する。図１〜図３は、それぞれ、本発明の一実施形態が適用されたコンバインの斜視図、側面図および正面図である。また、図４は図１のコンバインにおける伝動模式図である。
【００２７】
本実施形態のコンバイン１は、図１〜図３および図４に示すように、本機フレーム２と、前記本機フレーム２に支持された駆動源９と、前記本機フレーム２に連結された左右一対のクローラ式走行装置１０と、前記駆動源９からの回転動力を変速して前記一対のクローラ式走行装置１０へ出力するトランスミッション１５と、前記本機フレーム２の前方において該本機フレーム２に昇降可能に支持された刈取装置３０と、前記刈取装置３０によって刈り取られた穀稈を前記本機フレーム２の左側方において後方へ搬送するフィードチェーン装置２０と、前記フィードチェーン装置２０によって搬送される穀稈に対して脱穀処理を行うように、前記本機フレーム２の左部分に配設された脱穀装置４０と、前記本機フレーム２の右前方部分に配設された運転席５と、脱穀装置によって脱穀された穀粒を収容するグレンタンク６と、前記フィードチェーン装置２０から脱穀済の排藁を受け継ぎ、該排藁を後方へ搬送する排藁搬送装置７とを備えている。なお、フィードチェーン装置２０はフィードチェーンカバー２００（図１〜図３参照）によって覆われている。
【００２８】
前記刈取装置３０は、穀稈を刈り取る刈取部３１と、該刈取部３１によって刈り取られた穀稈をフィードチェーン装置２０へ搬送する搬送部３６とを備えている。
前記刈取部３１は、引起ケースおよび引起タインを含む引起機構３２と、前記引起ケースの下方部から前方へ突出された分草板３３と、前記引起ケースの後方に配設された刈刃３４とを有している。
前記搬送部３６は、上部搬送機構および縦搬送機構を含み、刈り取られた穀稈の株元を前記フィードチェーン装置２０へ受け継ぐように構成されている。
【００２９】
図５および図６は、それぞれ、前記脱穀装置４０および前記フィードチェーン装置５００の斜視図および平面図である。フィードチェーン装置２０は、刈取装置３０から受け継いだ刈取穀稈を穂先側が脱穀装置４０の扱室（後述）に突入した状態で搬送する。より具体的には、フィードチェーン装置２０は、本機フレーム２に対して回動軸２０１回り回動自在とされたＦＣレール部材２１と、前記駆動源９に作動連結された駆動スプロケット２０２および従動スプロケット２０３を含むＦＣ駆動機構２２と、ＦＣ駆動機構２２およびＦＣレール部材２１に巻き回されたフィードチェーン２３とを備えている。
【００３０】
また、図７および図８は、それぞれ本実施形態のコンバインにおいて扱室カバーが脱穀機枠の上方開口の開放状態位置にある場合の脱穀装置近傍の部分斜視図および部分正面図である。脱穀装置４０は、フィードチェーン装置２０により搬送された穀稈を脱穀する扱胴４５と、扱胴４５を収容し、上方が開口とされた脱穀機枠４１と、前記上方開口を閉塞および開放し得るように脱穀機枠４１に枢支軸４０２回りに回動可能に連結された扱室カバー４００とを備えている。扱胴４５は、コンバイン１の前後方向に沿って配設された扱胴駆動軸４６に相対回転不能に支持されており、駆動源９からの動力が扱胴駆動軸４６に作動的に伝達されることにより回転駆動する。
なお、図７および図８においては、扱室カバー４００は、脱穀機枠４１の外側面のうち前記フィードチェーン装置２０より上方部分をも覆う構成となっている。
ここで、フィードチェーン装置２０は、ＦＣレール部材２１の車輌幅方向内側面に支持された内側カバー部材２５をさらに具備する。この内側カバー部材２５は、脱穀装置４０の外側面のうち下方部分を覆うように構成されており、本機フレーム２に対してフィードチェーン装置２０を回動軸２０１回りに回動可能とされることにより、脱穀装置４０の左側面下方が開閉可能に構成される。つまり、扱室は、脱穀機枠４１および扱室カバー４００により構成される脱穀ハウジングとフィードチェーン装置２０の内側カバー部材２５により形成される。
【００３１】
コンバイン１は、さらに、図５および図６に示すように、前記フィードチェーン装置２０の上方に位置し、前記フィードチェーン装置２０によって搬送される穀稈を前記フィードチェーン２３に向けて押圧する藁押さえ装置２４を有している。より具体的には、前記藁押さえ装置２４は、穀稈搬送方向に沿った固定レール２４１と、前記フィードチェーン２３と対向配置される可動レール２４２と、前記固定レール２４１および前記可動レール２４２の間に配置され、前記可動レール２４２を前記フィードチェーン２３へ向けて押圧するコイルスプリング等の付勢部材２４３とを備えている。
藁押さえ装置２４は、扱室カバー４００に支持されており、扱室カバー４００に着脱可能に装着または回動可能に連結された藁押さえカバー２４０（図１〜図３参照）によって覆われている。
【００３２】
なお、脱穀装置４０は、脱穀機枠４１の下方に配設された揺動選別装置（図示せず）と、前記揺動選別装置によって選別された穀粒を集約する樋構造体（図示せず）とをさらに備えている。
揺動選別装置は、扱胴４５によって脱穀された被脱穀物から穀粒を、比重選別すると共に、唐箕ファン（図示せず）からの選別風によって風選別するように構成されている。
また、樋構造体は、フィードチェーン装置２０の搬送方向上流側から下流側へ直列配置された一番樋および二番樋（ともに図示せず）を有している。
一番樋および二番樋には、図４に示すように、それぞれ一番コンベア５８ａおよび二番コンベア５９ａが配置されており、一番樋に集約された一番穀粒は一番コンベア５８ａおよび揚穀コンベア５８ｂを介して前記グレンタンク６内に搬入され、二番樋に集約された二番穀粒は二番コンベア５９ａと二番還元コンベア５９ｂを含む二番還元装置とによって、揺動選別装置へ戻されるようになっている。
【００３３】
ここで、本実施形態の脱穀ハウジングの構造についてより詳しく説明する。
図７および図８に示すように、本実施形態の脱穀ハウジングにおいて、前記扱室カバー４００には、前記枢支軸４０１と略平行な状態で軸線回り回転自在に支持された回動軸４０２と、前記回動軸４０２に対して回動軸線回り相対回転不能とされた外部操作可能な開閉操作部材４０３と、前記回動軸４０２に相対回転自在に支持されたロックアーム４０４と、前記ロックアーム４０４を前記回動軸線回り一方側（矢符Ａ１側）へ付勢する付勢部材４０５と、前記ロックアームの前記一方側への回動端を画するロックアーム用停止部材である第１延在片４０６と、前記開閉操作部材４０３が前記回動軸線回り他方側（矢符Ａ２側）へ押動操作される際に前記付勢部材４０５の付勢力に抗して前記ロックアーム４０４を前記回動軸線回り他方側へ回動させるように前記回動軸４０２に軸線回り相対回転不能に支持された押動部材４０７とが設けられている。
また、前記ロックアーム４０４は、前記回動軸線回り一方側を向く面に、ガイド面４０４ａと、前記回動軸線を基準にして前記ガイド面４０４ａの径方向内方側に隣接された係合凹部４０４ｂとを有し、前記脱穀機枠４１側の固定部材４１１には、前記ガイド面４０４ａおよび前記係合凹部４０４ｂと係合可能な係合凸部４１１ａが設けられている。
【００３４】
図９は、本実施形態のコンバインにおいて扱室カバーが脱穀機枠の上方開口の開放状態位置から閉塞位置へ至るまでの閉塞移行中にある場合の脱穀装置近傍の部分正面図である。また、図１０および図１１は、それぞれ本実施形態のコンバインにおいて扱室カバーが脱穀機枠の上方開口の閉塞位置にある場合の脱穀装置近傍の部分斜視図および部分正面図である。
本実施形態の脱穀ハウジングは、前記脱穀機枠３１の上方開口が開放されている状態（図７および図８）から前記扱室カバー４００を前記枢支軸４０１回り下方側（矢符Ｂ１側）へ回動させる際に、前記扱室カバー４００が閉塞位置へ至るまでの閉塞移行中においては、図９に示すように、まず、前記ガイド面４０４ａが前記係合凸部４１１ａと係合することで前記ロックアーム４０４が前記付勢部材４０５の付勢力（矢符Ａ１方向）に抗して前記回動軸線回り他方側（矢符Ａ２側）へ回動され、その後、さらに前記扱室カバー４００が前記枢支軸回り下方側（矢符Ｂ１側）へ回動され、前記扱室カバー４００が閉塞位置に到達すると、図１０および図１１に示すように、前記係合凹部４０４ｂが前記係合凸部４１１ａと係合することで前記扱室カバー４００が閉塞位置に係止されることを特徴とするものである。
【００３５】
上記構成の脱穀ハウジングによれば、上方が開口された脱穀機枠４１に扱室カバー４００が連結され、脱穀機枠４１に対して枢支軸４０１回りに回動することにより脱穀機枠４１の上方開口が閉塞および開放される。この際、扱室カバー４００の外部操作可能な開閉操作部材４０３を用いて閉塞および開放が行われる。
以下、順に説明する。
【００３６】
まず、図１０および図１１に示す脱穀機枠４１の上方開口の閉塞状態においては、扱室カバー４００が閉塞位置にあり、脱穀機枠４１の固定部材（プレート部材）４１１に設けられた係合凸部４１１ａとロックアーム４０４の係合凹部４０４ｂとが係合されて係止されている。
この状態において、開閉操作部材４０３を回動軸線回り他方側（扱室カバー４００を開放する方向）に押動すると、扱室カバー４００の枢支軸４０１と略平行な状態で軸線回り回転自在に支持された回動軸４０２および回動軸４０２に軸線回り相対回転不能に支持された押動部材４０７も回動軸線回り他方側に回動する。本実施形態において、扱室カバー４００には、回動軸４０２と直交する方向に延びた軸受プレート部４０９ａを有する支持アーム４０９が固着されており、軸受けプレート部４０９に形成された軸受孔４１０に回動軸４０２が挿通されて、軸線回り回転自在に支持される。
また、扱室カバー４００には、開閉操作部材４０３を用いて扱室カバー４００を開放方向へ押動する際に開閉操作部材４０３の回動軸線回り他方側（矢符Ａ２）の回動端を画する開放操作時停止部材である第２延在片４０８が設けられている。本実施形態において、第２延在片４０８は、前記軸受プレート部４０９ａから回動軸４０２と平行する方向に延びている。なお、第２延在片４０８（後述する第１延在片４０６も同様）と軸受プレート部４０９ａとは、一体成型あるいは１つのプレート部材から折り曲げ加工して成型することにより形成してもよいし、別体として形成してもよい。
【００３７】
一方、ロックアーム４０４は、回動軸４０２に相対回転自在に支持されており、付勢部材４０５により回動軸線回り一方側（矢符Ａ１側）に付勢されている。本実施形態の付勢部材４０５は、回動軸４０２に巻き回された弦巻ばねの一端部４０５ａをロックアーム４０４の回動軸線回り他方側を向く面に係合することにより実現しているが、これに限られない。
ここで、押動部材４０７が回動軸線回り他方側に回動することにより、ロックアーム４０４は、付勢部材４０５による付勢力に抗して回動軸線回り他方側（矢符Ａ２側）に回動される。
このとき、開閉操作部材４０３を用いて閉塞位置に位置する扱室カバー４００を枢支軸４０１回りに回動させる際に、係合凹部４０４ｂおよび係合凸部４１１ａの係合が解除するまで押動部材４０７を介してロックアーム４０４を回動軸線回り他方側へ回動させることが可能なように、前記第２延在片４０８は、前記開閉操作部材４０３の回動軸線回り他方側への回動を許容するように位置設定されている。
つまり、係合凹部４０４ｂと係合凸部４１１ａとの係合が解除されるまでは、押動部材４０７が第２延在片に当接することなく回動軸線回り他方側に回動される。このように、開放操作時停止部材である第２延在片４０８の位置を最適化することにより、脱穀機枠４１側の係合凸部４１１ａとロックアーム４０４の係合凹部４０４ｂとの係合解除を確実に行うことができる。
【００３８】
開閉操作部材４０３を回動軸線回り他方側に回動していくと、開閉操作部材４０３とともに回動する押動部材４０７が扱室カバー４００に設けられた第２延在片４０８に係合する。本実施形態においては、押動部材４０７の上側端部が第２延在片４０８の側面上に当接する。このとき、第２延在片４０８は、開放操作時停止部材として作用し、開閉操作部材４０３の回動軸線回り他方側への回動端が画される。したがって、さらに開閉操作部材４０３を回動軸線回り他方側へ回動させようとすると、回動軸線回り他方側への回動の力が扱室カバー４００を開放方向へ押動する力に変換される。
これにより、扱室カバー４００が枢支軸４０１回り上方側（矢符Ｂ２側）に回動されて閉塞位置から開放位置へと移動する。
なお、本実施形態においては、扱室カバー４００を開放方向へ付勢する付勢部材であるダンパー４２がさらに備えられているように構成される。この場合、ダンパー４２により扱室カバー４００が開放方向に付勢される。これにより、開閉操作部材４０３の押動操作により、係合凸部４１１ａと係合凹部４０４ｂとの係合が解除された後は、自動的に扱室カバー４００が開放方向に回動する。また、扱室カバー４００が開放位置で停止させた際にも、ダンパー４２により扱室カバー４００が開放方向へ付勢されるため、開放状態が維持されて、作業中における扱室カバー４００の落下を防止することができる。
【００３９】
続いて、扱室カバー４００が開放位置にある状態から閉塞される態様を説明する。扱室カバー４００が開放位置にある状態から開閉操作部材４０４を回動軸線回り一方側（扱室カバー４００を閉塞させる方向）に押動すると、回動軸４０２および押動部材４０７も回動軸線回り一方側に回動する。押動部材４０７が回動軸線回り一方側に回動すると、押動部材４０４に規制されていたロックアーム４０４も付勢部材４０５による回動軸線回り一方側への付勢力により、回動軸線回り一方側（矢符Ａ１側）に回動する。
一方、軸受プレート部４０９ａには、第２延在片４０８と同様に、回動軸４０２と平行する方向に延びる第１延在片４０６が設けられている。本実施形態においては、第１延在片４０６および第２延在片４０８を軸受プレート部４０９ａから延在した１つのプレートで形成するため、部品点数の増加を防止し、製造工程の簡略化を図ることができる。
ロックアーム４０４が前述したように回動軸線回り一方側に回動すると、所定の位置でロックアームの回動軸線一方側の面に第１延在片４０６が当接する。つまり、第１延在片４０６がロックアーム用停止部材として作用して、付勢されたロックアーム４０６の回動軸線回り一方側への回動端が画される。
さらに、開閉操作部材４０３を回動軸線回り一方側に押動すると、ロックアーム４０４は、前記回動軸４０２にほじされたままで、開閉操作部材４０３、押動部材４０７および回動軸４０２が回動軸線回り一方側へ回動する。
【００４０】
この後、開閉操作部材４０３の回動軸線回り一方側へのさらなる押動により、押動部材４０７が第２延在片４０８に係合する。本実施形態においては、図７および図８に示すように、押動部材４０７の側面（回動軸４０２に対して開閉操作部材４０３が支持されている側とは反対側の面）が第２延在片４０８の下方端部に当接する。このとき、第２延在片４０８は、第１閉塞操作時停止部材として作用し、開閉操作部材４０３の回動軸線回り一方側への回動端が画される。したがって、さらに開閉操作部材４０３を回動軸線回り一方側へ回動させようとすると、回動軸線回り一方側への回動の力が扱室カバー４００を閉塞方向へ押動する力に変換される。
本実施形態においては、第２延在片４０８が開放操作時用停止部材と第１閉塞操作時用停止部材とのいずれとしても作用するため、部品点数の増加をさらに防止し、製造工程の簡略化を図ることができる。
【００４１】
また、このとき、開閉操作部材４０３を用いて閉塞位置へ向けて扱室カバー４００を枢支軸４０１回りに回動させる際に、付勢部材４０５の付勢力によってロックアーム４０４がロックアーム用停止部材である第１延在片４０６と係合することを許容する位置まで、押動部材４０７が回動軸線回り一方側へ退避するように、第２延在片４０８が開閉操作部材４０３の回動軸線回り一方側への回動を許容するように位置設定されている。
【００４２】
なお、本実施形態においては、前記扱室カバー４００に、開閉操作部材４０３を用いて扱室カバー４００を閉塞方向へ押動する際に開閉操作部材４０３と係合して開閉操作部材４０３の回動軸線回り一方側の回動端を画する第２閉塞操作時停止部材４３がさらに設けられている。本実施形態においては、開閉操作部材４０３の基端部のそれぞれに当接可能に構成される。
この場合、開閉操作部材４０３を用いて扱室カバー４００を閉塞方向へ押動する際に、扱室カバー４００に設けられた第２閉塞操作時停止部材４３と開閉操作部材４０３とが係合して開閉操作部材４０３の回動軸線回り一方側の回動端となり、開閉操作部材４０３の回動軸線回り一方側への回動の力が扱室カバー４００を閉塞方向へ押動する力に変換される。
したがって、第１閉塞操作時停止部材である第２延在片４０８とともに第２閉塞操作時停止部材４３を設けることにより、扱室カバー４００の閉塞方向への押動操作によって第２延在片４０８にかかる負荷を軽減させるとともに、例え第２延在片４０８による開閉操作部材４０３の回動軸線回り一方側の回動端としての作用が十分でない場合でも、確実に開閉操作部材４０３の回動軸線回り一方側への回動の力を扱室カバー３００を閉塞方向へ押動する力に変換させることができる。
【００４３】
さらに、開閉操作部材４０３を回動軸線回り一方側へ押動すると、扱室カバー４００が閉塞位置へ至るまでに、まず、ロックアーム４０４の回動軸線回り一方側を向く面に設けられたガイド面４０４ａと脱穀機枠４１側の固定部材４１１に設けられた係合凸部４１１ａとが係合する。本実施形態においては、図９に示すように、ガイド面４０４ａは、ロックアーム４０４の自由端側へ行くに従って回動軸線回り他方側に位置するように傾斜されている。したがって、製造誤差や構成部材の撓みが生じても、ガイド面４０４ａと係合凸部４１１ａとを確実に係合させることができる。ガイド面４０４ａが係合凸部４１１ａに当接した状態で、扱室カバー４００が引き続き閉塞位置へ向けて回動されると、ロックアーム４０４は、付勢部材４０５の回動軸線回り一方側への付勢力に抗して回動軸線回り他方側へ回動される。
この際、係合凸部４１１ａがガイド面４０４ａ上を回動軸４０２の径方向内方側（ロックアーム４０４の基端側）に相対的に摺動する（係合状態を維持しながら相対的に移動する）。
つまり、ロックアーム４０４は、ガイド面４０４ａおよび係合凸部４１１ａの係合によって付勢部材４０５の付勢に抗して回動軸線回り他方側へ回動しつつ、扱室カバー４００とともに、枢支軸回り下方側へ移動する。なお、ガイド面４０４ａは、直線状に形成されるだけでなく湾曲して形成されてもよい。
【００４４】
ロックアーム４０４には、回動軸線を基準にしてガイド面４０４ａの径方向内方側（ロックアーム４０４の基端側）に隣接して係合凹部４０４ｂが設けられている。そして、係合凹部４０４ｂは、扱室カバー４００が閉塞位置に到達した際、係合凸部４１１ａと係合する位置に設けられている。つまり、扱室カバー４００を枢支軸回りに閉塞方向へ回動させると、ロックアーム４０４は、まず、ガイド面４０４ａにおいて係合凸部４１１ａと係合する。この状態において、扱室カバー４００を引き続き閉塞方向へ回動させると、ロックアーム４０４は、係合凸部４１１ａによって回動軸４０２の回動軸線回り他方側へ回動しつつ、扱室カバー４００とともに枢支軸回り一方側（閉塞方向）へ回動する。そして、扱室カバー４００が閉塞位置に位置した時点で、ロックアーム４０４は、係合凹部４０４ｂが係合凸部４１１ａと対向するような位置に到達し、付勢部材４０５の付勢力によって、係合凹部４０４ｂが係合凸部４１１ａと係合する。これにより、扱室カバー４００が閉塞位置に係止される（図１０および図１１）。
【００４５】
以上のように、ロックアーム４０４を開閉操作部材４３が固定された回動軸４０２に相対回転自在に支持し、かつ、付勢部材４０５によってロックアーム４０４を回動軸４０２の軸線回り一方側（矢符Ａ１側）へ付勢した上で、ロックアーム用停止部材である第１延在片４０６によりロックアーム４０４の回動軸線回り一方側（矢符Ａ１側）への回動端が画されることにより、脱穀機枠４１側の係合凸部４１１ａがロックアーム４０４の背面側に位置することを防止することができる。
しかも、扱室カバー４００が閉塞位置へ至るまでの閉塞移行中において、ロックアーム４０４のガイド面４０４ａと脱穀機枠４１側の係合凸部４１１ａとが係合されることにより、ロックアーム４０４が付勢部材４０５の付勢力に抗して回動軸線回り他方側（矢符Ａ２側）へ回動されるため、ロックアーム４０４および係合凸部４１１ａが干渉することを防止することができる。
また、ロックアーム４０４を回動軸線回り一方側に付勢するとともに、ロックアーム４０４のガイド面４０４ａに隣接して係合凹部４０４ｂが設けられることにより、扱室カバー４００が閉塞位置に到達した際、脱穀機枠４１側の係合凸部４１１ａとロックアーム４０４の係合凹部４０４ｂとをロックアーム４００に付与された付勢力を用いて確実に係合することができる。
【００４６】
また、開放操作時停止部材４０３および第１閉塞操作時停止部材として作用する第２延在片４０８の位置を最適化することにより、脱穀機枠４１側の係合凸部４１１ａとロックアーム４０４のガイド面４０４ａとの係合を確実に行うとともに、脱穀機枠４１側の係合凸部４１１ａとロックアーム４０４の係合凹部４０４ｂとの係合を確実に行うことができる。
【００４７】
なお、以上の説明においては、回動軸４０２の前端部側に設けられたロックアーム４０４等について動作説明したが、本実施形態においては、回動軸４０２の後端部側にもロックアーム４０４等が設けられている。図１２は図７のコンバインを後方側から見た部分斜視図である。本実施形態において、前記回動軸４０２は、図１２に示すように、前端部および後端部がそれぞれ前記脱穀機枠４１の前端面および後端面より外方へ延在するように、前記扱室カバー４００の前方および後方にそれぞれ設けられた支持アーム４０９の軸受プレート部４０９ａに支持されている。そして、前記ロックアーム４０４、前記付勢部材４０５、前記第１延在片４０６、前記押動部材４０７および前記第２延在片４０８は、前記回動軸４０２の前端部および後端部の双方に設けられいる。一方、前記係合凸部４１１ａは、前記脱穀機枠４１の前端面側および後端面側にそれぞれ設けられている。
【００４８】
したがって、脱穀機枠４１の前端面側および後端面側の双方においてロックアーム４０４による扱室カバー４００との係合がなされるため、扱室カバー４００を閉塞した際に、係合を強固にすることができるとともに、回動軸４０２が共通するため、１つの開閉操作部材４０３を押動することにより双方のロックアーム４０４の係合および係合解除動作を同時に行うことができる。
【００４９】
以上、本発明に係る実施の形態を説明したが、本発明は上記実施の形態に限定されるものではなく、その趣旨を逸脱しない範囲内で種々の改良、変更、修正が可能である。
【図面の簡単な説明】
【００５０】
【図１】本発明の一実施形態が適用されたコンバインの斜視図である。
【図２】本発明の一実施形態が適用されたコンバインの側面図である。
【図３】本発明の一実施形態が適用されたコンバインの正面図である。
【図４】図１のコンバインにおける伝動模式図である。
【図５】脱穀装置およびフィードチェーン装置の斜視図である。
【図６】脱穀装置およびフィードチェーン装置の平面図である。
【図７】本実施形態のコンバインにおいて扱室カバーが脱穀機枠の上方開口の開放状態位置にある場合の脱穀装置近傍の部分斜視図である。
【図８】本実施形態のコンバインにおいて扱室カバーが脱穀機枠の上方開口の開放状態位置にある場合の脱穀装置近傍の部分正面図である。
【図９】本実施形態のコンバインにおいて扱室カバーが脱穀機枠の上方開口の開放状態位置から閉塞位置へ至るまでの閉塞移行中にある場合の脱穀装置近傍の部分正面図である。
【図１０】本実施形態のコンバインにおいて扱室カバーが脱穀機枠の上方開口の閉塞位置にある場合の脱穀装置近傍の部分斜視図である。
【図１１】本実施形態のコンバインにおいて扱室カバーが脱穀機枠の上方開口の閉塞位置にある場合の脱穀装置近傍の部分正面図である。
【図１２】図７のコンバインを後方側から見た部分斜視図である。
【符号の説明】
【００５１】
１            コンバイン
２            本機フレーム
４０          脱穀装置
４１          脱穀機枠
４２          ダンパー（付勢部材）
４３          第２閉塞操作時用停止部材
４００        扱室カバー
４０１        枢支軸
４０２        回動軸
４０３        開閉操作部材
４０４        ロックアーム
４０４ａ      ガイド面
４０４ｂ      係合凹部
４０５        付勢部材
４０６        第１延在片（ロックアーム用停止部材）
４０７        押動部材
４０８        第２延在片（開放操作時用および第１閉塞操作時用停止部材）
４０９        支持アーム
４０９ａ      軸受プレート部
４１０        軸受孔
４１１        固定部材
４１１ａ      係合凸部
【図４】
2008099591.tif 000003
【図５】
2008099591.tif 000004
【図６】
2008099591.tif 000005
【図７】
2008099591.tif 000006
【図８】
2008099591.tif 000007
【図９】
2008099591.tif 000008
【図１０】
2008099591.tif 000009
【図１１】
2008099591.tif 000010
【図１２】
2008099591.tif 000011
【図１】
2008099591.tif 000012
【図２】
2008099591.tif 000013
【図３】
2008099591.tif 000014